(57)【要約】      （修正有）【課題】フィルタのストック管理が不要となり、使い勝手が良く、また、フィルタに掛かるコストを安価に抑えることができるマスクを提供する。【解決手段】口を覆うフィルタ部材と、フィルタ部材を着脱自在に保持し、耳に掛ける蔓部３を有する保持体２とからなるマスクであって、保持体は、可撓性を有する線材で構成された主枠部４と、主枠部の下辺部４ｂに沿設され可撓性を有する線材で構成された副部材５とからなり、副部材と主枠部の下辺部とでフィルタ部材を挟持して保持する。【選択図】図２
0003227452.tif 000002
【実用新案登録請求の範囲】
【請求項１】
口を覆うフィルタ部材と、このフィルタ部材を着脱自在に保持し、耳に掛ける蔓部を有する保持体とからなるマスクであって、前記保持体は、可撓性を有する線材で構成された主枠部と、この主枠部の下辺部に沿設され可撓性を有する線材で構成された副部材とからなり、この副部材と前記主枠部の前記下辺部とで前記フィルタ部材を挟持して保持し、前記保持体に前記フィルタ部材を設ける構成であることを特徴とするマスク。
【請求項２】
請求項１記載のマスクにおいて、前記フィルタ部材はティッシュペーパーであることを特徴とするマスク。
【請求項３】
請求項１，２いずれか１項に記載のマスクにおいて、前記主枠部及び前記副部材は一本の線材で構成され、さらに、この一本の線材により前記蔓部も構成されていることを特徴とするマスク。
【請求項４】
請求項１〜３いずれか１項に記載のマスクにおいて、前記主枠部及び前記副部材は金属製の線材であることを特徴とするマスク。
【請求項５】
請求項１〜４いずれか１項に記載のマスクにおいて、前記保持体は、前記副部材を前記主枠部の上辺部に沿設させる変形操作によりアイマスク形状になるように構成され、このアイマスク形状時は前記上辺部とこの上辺部に沿設する前記副部材とで前記フィルタ部材を挟持して保持し、前記保持体に前記フィルタ部材を設ける構成であることを特徴とするマスク。
【請求項６】
請求項１〜５いずれか１項に記載のマスクにおいて、前記蔓部の先端部に耳栓部が設けられていることを特徴とするマスク。
【考案の詳細な説明】
【技術分野】
【０００１】
本考案は、マスクに関するものである。
【背景技術】
【０００２】
従来、特許文献１に開示されるような、口を覆うフィルタを交換して使用するマスク（以下、従来例という。）が提案されている。
【０００３】
具体的には、この従来例は、人の口及び鼻を覆うことができるフィルタと、人の耳に掛けることができ前記フィルタを保持することができるフレームを有し、このフレームは、人の両耳に掛ける耳掛け部から鼻に当たる部分に至る蔓部と、この蔓部に連続して設けられ人の口及び鼻を含む範囲を囲むことができるフィルタ保持枠を有し、前記フィルタは、前記フレームの前記蔓部と前記フィルタ保持枠で囲まれる範囲を覆うことができる広さを有すると共に、前記フレームの前記フィルタ保持枠を外側から囲って装着することができる折り返し部と、前記フレームの前記蔓部に掛け止めることができる弾性紐と、を有する構成のマスクである。
【先行技術文献】
【特許文献】
【０００４】
【特許文献１】特開２０１４−１２４３９７号公報
【考案の概要】
【考案が解決しようとする課題】
【０００５】
しかしながら、この従来例のように、フィルタに折り返し部と弾性紐とを設け、これらによりフィルタをフィルタ保持枠に装着する構成とした場合、フィルタが専用化されてしまい、一般的なガーゼや不織布を適宜な形状に形成しただけのフィルタでは代替がきかないため（装着できないため）、この専用フィルタを常時ストックしておく必要があるが、補充忘れにより交換するフィルタがなく、使用することが出来なくなるおそれがある。
【０００６】
さらに、フィルタが専用化されることで、入手が困難になったり、コスト高になってしまうことが懸念される。
【０００７】
本考案はこのような従来例の問題を解消する画期的なマスクを提供するものである。
【課題を解決するための手段】
【０００８】
添付図面を参照して本考案の要旨を説明する。
【０００９】
口を覆うフィルタ部材１と、このフィルタ部材１を着脱自在に保持し、耳に掛ける蔓部３を有する保持体２とからなるマスクであって、前記保持体２は、可撓性を有する線材で構成された主枠部４と、この主枠部４の下辺部４ｂに沿設され可撓性を有する線材で構成された副部材５とからなり、この副部材５と前記主枠部４の前記下辺部４ｂとで前記フィルタ部材１を挟持して保持し、前記保持体２に前記フィルタ部材１を設ける構成であることを特徴とするマスクに係るものである。
【００１０】
また、請求項１記載のマスクにおいて、前記フィルタ部材１はティッシュペーパーであることを特徴とするマスクに係るものである。
【００１１】
また、請求項１，２いずれか１項に記載のマスクにおいて、前記主枠部４及び前記副部材５は一本の線材で構成され、さらに、この一本の線材により前記蔓部３も構成されていることを特徴とするマスクに係るものである。
【００１２】
また、請求項１〜３いずれか１項に記載のマスクにおいて、前記主枠部４及び前記副部材５は金属製の線材であることを特徴とするマスクに係るものである。
【００１３】
また、請求項１〜４いずれか１項に記載のマスクにおいて、前記保持体２は、前記副部材５を前記主枠部４の上辺部４ａに沿設させる変形操作によりアイマスク形状になるように構成され、このアイマスク形状時は前記上辺部４ａとこの上辺部４ａに沿設する前記副部材５とで前記フィルタ部材１を挟持して保持し、前記保持体２に前記フィルタ部材１を設ける構成であることを特徴とするマスクに係るものである。
【００１４】
また、請求項１〜５いずれか１項に記載のマスクにおいて、前記蔓部３の先端部に耳栓部６が設けられていることを特徴とするマスクに係るものである。
【考案の効果】
【００１５】
本考案は上述のように構成したから、フィルタ部材が専用化されず、例えば、適宜な形状に形成した一般的なガーゼや不織布、或いはティッシュペーパーをフィルタ部材として用いることができ、フィルタ部材のストック管理が不要となり、使い勝手が良く、また、フィルタ部材に掛かるコストを安価に抑えることができる画期的なマスクとなる。
【００１６】
さらに、本考案は、保持体が可撓性を有する線材で構成されているから、この保持体を使用者の顔にフィットするように形状変形させることができ、これによりマスクと顔との間に隙間を生じさせることなく装着することができるので、優れた防塵性、防菌性を発揮する画期的なマスクとなる。
【図面の簡単な説明】
【００１７】
【図１】マスク状態の本実施例を示す斜視図である。
【図２】マスク状態の本実施例の保持体を示す斜視図である。
【図３】マスク状態の本実施例のフィルタ部材の保持状態を示す説明図である。
【図４】マスク状態の本実施例の使用状態を示す図である。
【図５】アイマスク状態の本実施例を示す斜視図である。
【図６】アイマスク状態の本実施例の保持体を示す斜視図である。
【図７】アイマスク状態の本実施例のフィルタ部材の保持状態を示す説明図である。
【図８】アイマスク状態の本実施例の使用状態を示す図である。
【図９】本実施例の保持体の（ａ）マスク状態及び（ｂ）アイマスク状態を示す正面図である。
【図１０】本実施例の耳栓部を示す説明斜視図である。
【図１１】バイザー状態の本実施例のフィルタ部材を示す斜視図である。
【図１２】バイザー状態の本実施例の使用状態を示す図である。
【考案を実施するための形態】
【００１８】
好適と考える本考案の実施形態を、図面に基づいて本考案の作用を示して簡単に説明する。
【００１９】
保持体２の表側にフィルタ部材１を上下部分がこの保持体２からはみ出るようにしてあてがい、上側のはみ出し部分を主枠部４の上辺部４ａに掛けまわして保持体２の裏側に配設し、下側のはみ出し部分を主枠部４の下辺部４ｂに掛けまわして保持体２の裏側に配設し、この保持体２の裏側に配設した下側のはみ出し部分を前記下辺部４ｂと副部材５との間に挿入し、この下辺部４ｂと副部材５とで挟持することで、フィルタ部材１が保持体２に保持される。
【００２０】
本考案は、このようにしてフィルタ部材１を保持させた（フィルタ部材１を装着した）保持体２を、口を覆う位置に配しメガネを掛けるように蔓部３を耳に掛けて装着する。
【００２１】
さらに、装着後、保持体２全体を顔に当接若しくは近接させるように変形させることで、保持体２と顔との間に隙間がなくなり、よりマスク効果（防塵、防菌効果）を高めることができる。
【実施例】
【００２２】
本考案の具体的な実施例について図面に基づいて説明する。
【００２３】
本実施例は、口を覆うフィルタ部材１と、このフィルタ部材１を着脱自在に保持し、耳に掛ける蔓部３を有する保持体２とからなるマスクであって、前記保持体２は、可撓性を有する線材で構成された主枠部４と、この主枠部４の下辺部４ｂに沿設され可撓性を有する線材で構成された副部材５とからなり、この副部材５と前記主枠部４の前記下辺部４ｂとで前記フィルタ部材１を挟持して保持し、前記保持体２に前記フィルタ部材１を設ける構成であることを特徴とするものである。
【００２４】
以下、本実施例に係る構成各部について詳述する。
【００２５】
本実施例は、フィルタ部材１としてティッシュペーパーを用いる構成である。ティッシュペーパーは１枚でも良いし、また、複数枚重ねて使用しても良い。
【００２６】
なお、本実施例は、入手のし易さ、コストが安価な点からフィルタ部材１としてティッシュペーパーを用いる構成であるが、フィルタ部材１は、ティッシュペーパーに限定されるものではなく、ガーゼ、不織布などを用いても良い。
【００２７】
また、保持体２を構成する主枠部４及び副部材５、並びにこの保持体２に設けられる蔓部３は、それぞれ可撓性を有する線材、すなわち、適宜な形状に自在に変形可能な線材で構成されている。
【００２８】
具体的には、前記線材は金属製線材であり、本実施例では、表面がクッション性を有するカバー部材で被覆された金属線材（すなわち、金属線材を芯材とし、この芯材がカバー部材で被覆された線材）が用いられている。
【００２９】
また、本実施例においては、主枠部４及び副部材５は一本の線材で構成され、さらに、蔓部３もこの一本の線材により構成されている。すなわち、言い換えると、本実施例は、一本の可撓性を有する線材が一筆書き状に曲成されて、主枠部４、副部材５及び蔓部３の夫々が一体的に形成された構成とされている。
【００３０】
また、主枠部４は、口及び鼻を覆う広さを有し一般的なマスク形状を呈する枠体に構成されている。
【００３１】
具体的には、本実施例の主枠部４は、上側に配設される上辺部４ａと、下側に配設される下辺部４ｂとが環状に（環を形成するように）連設され、この上辺部４ａと下辺部４ｂとが連設される連設部を蔓部３が連設される蔓連設部４ｃとする構成である。
【００３２】
また、副部材５は、前述した主枠部４の下辺部４ｂに沿設状態に設けられており、本実施例においては、図示するように、下辺部４ｂの上側（主枠部４の内側）に設けられている。
【００３３】
すなわち、本実施例は、主枠部４の下辺部４ｂと、この上辺部４ａに沿設する副部材５とでフィルタ部材１を挟持し、フィルタ部材１を保持体２（主枠部４）に保持させる構成であり、具体的には、本実施例は、保持体２の表側にフィルタ部材１（ティッシュペーパー）を上下部分がこの保持体２からはみ出るようにしてあてがい、上側のはみ出し部分を主枠部４の上辺部４ａに掛けまわして保持体２の裏側に配設し、下側のはみ出し部分を主枠部４の下辺部４ｂに掛けまわして保持体２の裏側に配設し、この保持体２の裏側に配設した下側のはみ出し部分を前記下辺部４ｂと副部材５との間に挿入し、この下辺部４ｂと副部材５とで挟持することで、フィルタ部材１が保持体２に保持される構成とされている。
【００３４】
なお、保持体２に副部材５を下辺部４ｂの下側（主枠部４の外側）に設ける構成としても良い。
【００３５】
また、蔓部３は、図示するように先端部に湾曲形状の耳掛け部３ａを有し、前述した主枠部４の上辺部４ａと下辺部４ｂとの連設部となる蔓連設部４ｃに後方水平方向に向けて突設されている。
【００３６】
なお、蔓部３は、図示するように、耳掛け部３ａの先端部に耳栓部６（弾性を有するポリウレタン製の部材で構成されるものが好ましい）を設けた構成としても良い。
【００３７】
また、本実施例は、図示するように主枠部４の下辺部４ｂと副部材５とが互いに長手方向中央部にて連結された構成であり、このような構成とすることで装着時の保持体２の保形性の向上が図られる。
【００３８】
さらに、本実施例は、この連結部を介して左右に区別された副部材５を夫々、主枠部４の上辺部４ａに沿設させる変形操作により保持体２がアイマスク形状になるように構成され、また、このアイマスク形状時の保持体２は主枠部４の上辺部４ａとこの上辺部４ａに沿設状態にした副部材５とでフィルタ部材１を挟持し、フィルタ部材１を保持体２に保持させる構成とされている。
【００３９】
具体的には、本実施例は、保持体２の前記連結部を介して左右に区別された各副部材５を、夫々の上方に位置する主枠部４の上辺部４ａに沿設状態となるように変形させることで、主枠部４の上下方向の幅が狭まると共に（主枠部４の上辺部４ａと下辺部４ｂとの間隔が狭まると共に）、主枠部４の下辺部４ｂの幅方向中央部に上方に凸となる窪み部７が形成され、保持体２がメガネのような形状になり、このメガネ形状の保持体２の主枠部４の上辺部４ａとこの上辺部４ａに沿設状態にした副部材５とでフィルタ部材１を挟持し、フィルタ部材１を保持体２に保持させることで、窪み部７を鼻にあてがいメガネのように装着するアイマスクとなるように構成されている。
【００４０】
なお、本実施例をアイマスクとして使用する場合は、フィルタ部材１としてティッシュペーパーの代わりに、遮光性を有する生地部材を用いると良く、フィルタ部材１を遮光性のものにすることで、よりアイマスクとしての効果が高められる。
【００４１】
また、本実施例をマスクとして使用する場合、フィルタ部材１としてのティッシュペーパーに装飾性を有するカバー部材を重ね合わせ、フィルタ部材１に装飾性を付与する構成としても良く、また、カバー部材を保持体２に被嵌装着可能な構成にして、フィルタ部材１を保持体２ごと被覆して装飾性を付与する構成としても良い。
【００４２】
また、本実施例は保持体２及び蔓部３が一本の線材で構成されているが、別々の線材で保持体２の主枠部４、副部材５及び蔓部３を形成し、これらを溶接などにより連結して一体化する構成としても良い。
【００４３】
本実施例は以上のように構成したから、以下のような作用効果を有する。
【００４４】
フィルタ部材１を保持体２に設ける（保持させる）場合、保持体２の表側にフィルタ部材１としてのティッシュペーパーを上下部分がこの保持体２からはみ出るようにしてあてがい、上側にはみ出したティッシュペーパーを主枠部４の上辺部４ａに掛けまわして保持体２の裏側に配設し、下側にはみ出したティッシュペーパーを主枠部４の下辺部４ｂに掛けまわして保持体２の裏側に配設し、さらにこの保持体２の裏側に配設した下側のはみ出し部分を前記下辺部４ｂと副部材５との間に挿入し、この下辺部４ｂと副部材５とで挟持することで、フィルタ部材１が保持体２に設けられる（保持される）。
【００４５】
すなわち、フィルタ部材１は、保持体２の主枠部４の上辺部４ａ及び下辺部４ｂに掛けまわして保持体２を顔に当接させることで、顔と保持体２とで挟み込んで保持することができるが、このようにして保持した場合、マスクを外す度にフィルタ部材１の下側が垂れ下がりその影響を受け（下側に引っ張られる力が作用し）保持体２からずれ落ちてしまう。その点、本実施例は、フィルタ部材１の下側を主枠部４の下辺部４ｂと副部材５とで挟持するから、マスクを外した際にフィルタ部材１の下側が垂れ下がらず、フィルタ部材１が保持体２からずれ落ちずに装着状態が良好に保持される。
【００４６】
本実施例は、このようにしてフィルタ部材１を保持体２に設け、この保持体２を口を覆う位置に配しメガネを掛けるように蔓部３を耳に掛けて装着するマスクであるが、本実施例は、保持体２が可撓性を有する線材で構成された主枠部４と、この主枠部４の下辺部４ｂに沿設され可撓性を有する線材で構成された副部材５とで構成され、さらに蔓部３も可撓性を有する線材で構成されているから、保持体２及び蔓部３を適宜な形状に変形させることができ、装着後、蔓部３を適宜な形状に変形させて保持体２が適宜な位置に配設させるように調整した後、保持体２全体を顔に当接若しくは近接させるように変形させることによって、保持体２と顔との間の隙間をなくすことができ、保持体２を顔にフィットさせ、よりマスク効果（防塵、防菌効果）を高めることができるものとなる。
【００４７】
また、本実施例は上述したように、主枠部４の下辺部４ｂと副部材５とを適宜変形させてこれらの間にフィルタ部材１を配した後、再度これらを変形させてフィルタ部材１を挟持することで、フィルタ部材１を保持体２に保持させることができる構成であるから、従来例のようなフィルタ部材側に保持部材を備える必要がなく、ゆえに、本実施例のように、ティッシュペーパーをフィルタ部材１として用いることができ、フィルタ部材１としてティッシュペーパーを用いることで、フィルタ部材１を安価に且つ容易に入手することができるようになり、使い勝手の良いマスクとなる。
【００４８】
また、本実施例は、保持体２（主枠部４及び副部材５）と蔓部３とが、一本の線材を一筆書き状に曲成して形成した構成としたから、各部の連結が強固なものとなり、耐久性に優れたマスクとなる。
【００４９】
また、本実施例は、副部材５を主枠部４の上辺部４ａに沿設させる変形操作により保持体２がアイマスク形状になるように構成されているから、アイマスクとして使用することもできる。
【００５０】
アイマスクとして使用する場合は、前述したように、保持体２の主枠部４の下辺部４ｂと副部材５とが連結されている連結部を介して左右に区別された各副部材５を、夫々の上方に位置する主枠部４の上辺部４ａに沿設状態となるように変形させることで、主枠部４の上下方向の幅が狭まると共に（主枠部４の上辺部４ａと下辺部４ｂとの間隔が狭まると共に）、主枠部４の下辺部４ｂの幅方向中央部に上方に凸となる窪み部７が形成され、保持体２がメガネのような形状になり、このメガネ形状の保持体２の主枠部４の上辺部４ａとこの上辺部４ａに沿設状態にした副部材５との間にフィルタ部材１を配し、このフィルタ部材１をこれら上辺部４ａと副部材５とで挟持することで、マスク状態の場合と同様、フィルタ部材１が保持体２に保持されアイマスクとなる。
【００５１】
また、本実施例は、上述したように保持体２を変形させた際に窪み部７が形成され、この窪み部７を鼻にあてがいメガネのように装着するアイマスクとなるように構成されているから、フィルタ部材１が顔に押し付けられるような圧迫感が生じず、長時間快適に装着することができるものとなる。
【００５２】
なお、本実施例において、蔓部３の先端部に耳栓部６を設けた構成とすれば、アイマスクとして使用する場合、この耳栓部６を耳に嵌め込むことで防音効果も得られ、遮光と防音の両効果を奏する実用性に優れたアイマスクとなる。
【００５３】
また、本実施例は、保持体２を図示するようにバイザー（日よけ）に変形させることも可能であり、様々な用途に使用することができる。
【００５４】
このように、本実施例は、マスクでありながら、マスク以外の装着具、例えばアイマスクやバイザーにもなる従来にない画期的なマスクであり、マスクとして使用する場合は、フィルタ部材１に掛かるコストを安価に抑えることができるなど使い勝手が良く、そのうえ、保持体２の変形操作により優れた防塵性、防菌性を発揮し、また、アイマスクとして使用する場合は、メガネのように装着することができ、フィルタ部材１が顔に押し付けられるような圧迫感が生じず、長時間快適に装着することができる実用性に優れた画期的なマスクとなる。
【００５５】
なお、本考案は、本実施例に限られるものではなく、各構成要件の具体的構成は適宜設計し得るものである。
【符号の説明】
【００５６】
１  フィルタ部材
２  保持体
３  蔓部
４  主枠部
４ａ  上辺部
４ｂ  下辺部
５  副部材
６  耳栓部
【図１】
0003227452.tif 000003
【図２】
0003227452.tif 000004
【図３】
0003227452.tif 000005
【図４】
0003227452.tif 000006
【図５】
0003227452.tif 000007
【図６】
0003227452.tif 000008
【図７】
0003227452.tif 000009
【図８】
0003227452.tif 000010
【図９】
0003227452.tif 000011
【図１０】
0003227452.tif 000012
【図１１】
0003227452.tif 000013
【図１２】
0003227452.tif 000014